(57)【要約】【課題】光源のオン／オフのスイッチングによって発生する光源等の振動を抑制する。【解決手段】発明のプロジェクターは、少なくとも１つの光源と、光源への供給電力をＰＷＭによって制御することにより、光源から射出される光の出力を制御する光源制御部と、  光源から射出される光を利用して、画像信号に応じた画像を表す画像光を射出する画像光射出部と、画像光を投写する投写光学系と、を備える。光源制御部は、画像信号のフレーム周期に同期して一フレーム周期中に周期の異なる複数のＰＷＭパルスを発生させる動作を、フレーム周期ごとに繰り返し行って、光源への供給電力を制御する。【選択図】図３
2015169879.tif 000002
【特許請求の範囲】
【請求項１】
プロジェクターであって、
少なくとも１つの光源と、
前記光源への供給電力をＰＷＭによって制御することにより、前記光源から射出される光の出力を制御する光源制御部と、
前記光源から射出される光を利用して、画像信号に応じた画像を表す画像光を射出する画像光射出部と、
前記画像光を投写する投写光学系と、
を備え、
前記光源制御部は、前記画像信号のフレーム周期に同期して一フレーム周期中に周期の異なる複数のＰＷＭパルスを発生させる動作を、前記フレーム周期ごとに繰り返し行って、前記光源への供給電力を制御する
ことを特徴とするプロジェクター。
【請求項２】
請求項１に記載のプロジェクターであって、
複数の前記光源を備え、
前記光源制御部は、前記光源ごとに、それぞれ前記複数のＰＷＭパルスの周期の変動状態を異ならせる
ことを特徴とするプロジェクター。
【請求項３】
請求項２に記載のプロジェクターであって、
前記光源制御部は、前記光源ごとに、それぞれ前記複数のＰＷＭパルスの周期の変動の組み合わせを異ならせる
ことを特徴とするプロジェクター。
【請求項４】
請求項１から請求項３までのいずれか一項に記載のプロジェクターであって、
前記光源制御部は、前記フレーム周期のうちの一定期間における前記ＰＷＭパルスの発生を停止させる
ことを特徴とするプロジェクター。
【請求項５】
画像表示装置であって、
少なくとも１つの光源と、
前記光源への供給電力をＰＷＭによって制御することにより、前記光源から射出される光の出力を制御する光源制御部と、
前記光源から射出される光を利用して、画像信号に応じた画像を表す画像光を射出する画像光射出部と、
を備え、
前記光源制御部は、前記画像信号のフレーム周期に同期して一フレーム周期中に周期の異なる複数のＰＷＭパルスを発生させる動作を、前記フレーム周期ごとに繰り返し行って、前記光源への供給電力を制御する
ことを特徴とする画像表示装置。
【請求項６】
少なくとも１つの光源と、前記光源から射出される光を利用して、画像信号に応じた画像を表す画像光を射出する画像光射出部と、前記画像光を投写する投写光学系と、を備えるプロジェクターの制御方法であって、
前記光源への供給電力をＰＷＭによって制御する際に、前記画像信号のフレーム周期に同期して一フレーム周期中に周期の異なる複数のＰＷＭパルスを発生させる動作を、前記フレーム周期ごとに繰り返し行って、前記光源への供給電力を制御することを特徴とするプロジェクターの制御方法。
【請求項７】
少なくとも１つの光源装置と、前記光源装置から射出される光を利用して、画像信号に応じた画像を表す画像光を射出する画像光射出部と、を備える画像表示装置の制御方法であって、
前記光源への供給電力をＰＷＭによって制御する際に、前記画像信号のフレーム周期に同期して一フレーム周期中に周期の異なる複数のＰＷＭパルスを発生させる動作を、前記フレーム周期ごとに繰り返し行って、前記光源への供給電力を制御することを特徴とする画像表示装置の制御方法。
【発明の詳細な説明】
【技術分野】
【０００１】
本発明は、画像表示装置、プロジェクター及びその制御方法に関する。
【背景技術】
【０００２】
プロジェクターやテレビジョン等の画像表示装置として、近年、レーザーダイオード（Laser Diode：ＬＤ）や発光ダイオード（Light Emitting Diode：ＬＥＤ）等の半導体光源あるいは固体光源とも呼ばれる光源を用いたものが開発されている。この光源の発光輝度の調整には、通常、光源に供給する電力をＰＷＭ（パルス幅変調）制御する技術が利用されている。例えば、特許文献１には、光源をＰＷＭ制御する際に発生するスクロールノイズを、ＰＷＭパルスの周期をあらかじめ定められた幅で変動させることによって目立ち難くする技術が開示されている。なお、スクロールノイズは、光源をＰＷＭ制御すると、画面の横方向に延びる帯状の明るい部分と暗い部分とが画面の上または下方向にゆっくりとした速度で移動する現象である。
【先行技術文献】
【特許文献】
【０００３】
【特許文献１】特開２００９−１７５６２７号公報
【発明の概要】
【発明が解決しようとする課題】
【０００４】
ここで、光源をＰＷＭ制御する際に、光源への電力の供給と遮断の繰り返し（以下、「光源のオン（ＯＮ）／オフ（ＯＦＦ）のスイッチング」とも呼ぶ）によって光源やその他の付随回路（以下、「光源等」と呼ぶ）に振動が発生し、発生した振動を起因として騒音や画質劣化等が生じる可能性がある、という課題がある。なお、特許文献１には、この課題に関して何らの記載も示唆もない。
【課題を解決するための手段】
【０００５】
本発明は、上述の課題の少なくとも一部を解決するためになされたものであり、以下の形態として実現することが可能である。
【０００６】
（１）本発明の一形態によれば、プロジェクターが提供される。このプロジェクターは、少なくとも１つの光源と；前記光源への供給電力をＰＷＭによって制御することにより、前記光源から射出される光の出力を制御する光源制御部と；前記光源から射出される光を利用して、画像信号に応じた画像を表す画像光を射出する画像光射出部と；前記画像光を投写する投写光学系と；を備える。そして、前記光源制御部は、前記画像信号のフレーム周期に同期して一フレーム周期中に周期の異なる複数のＰＷＭパルスを発生させる動作を、前記フレーム周期ごとに繰り返し行って、前記光源への供給電力を制御することを特徴とする。この形態のプロジェクターによれば、ＰＷＭパルスの周期がフレーム周期内で変動することにより、光源への電力のＰＷＭパルスによって実行される光源への電力の供給（オン）と遮断（オフ）の繰り返し（スイッチング）の周波数を分散させることができる。これにより、光源のオン／オフのスイッチングによって発生する光源等の振動を抑制することが可能となる。また、フレーム周期に同期してＰＷＭパルスの周期が変動することにより、スクロールのノイズを抑制することができる。
【０００７】
（２）上記形態のプロジェクターにおいて、複数の前記光源を備え；前記光源制御部は、前記光源ごとに、それぞれ前記複数のＰＷＭパルスの周期の変動状態を異ならせるようにしてもよい。このようにすれば、フレーム周期内での光源のオン／オフのスイッチングの周波数の分散だけでなく、光源のオン／オフのスイッチングの周波数を光源間においても分散させることができる。これにより、複数の光源の場合において、より効果的に、光源のオン／オフのスイッチングによって発生する光源等の振動を抑制することが可能となる。
【０００８】
（３）上記形態のプロジェクターにおいて、前記光源制御部は、前記光源ごとに、それぞれ前記複数のＰＷＭパルスの周期の変動の組み合わせを異ならせるようにしてもよい。このようにすれば、光源のオン／オフのスイッチングの周波数の変動状態が光源間で重ならないように分散させることができるので、さらに効果的に、光源のオン／オフのスイッチングによって発生する光源等の振動を抑制することが可能となる。
【０００９】
（４）上記形態のプロジェクターにおいて、前記光源制御部は、前記フレーム周期の先頭または最後の一定期間における前記ＰＷＭパルスの発生を停止させるようにしてもよい。このようにすれば、フレーム周期の切り替わりにおいて、画像信号の変化に応じた画像の変化に起因して画質劣化等が発生した画像の表示を防止することが可能となる。
【００１０】
なお、本発明は、以下に示すような種々の態様で実現することが可能である。
（ａ）プロジェクター、プロジェクターの制御方法。
（ｂ）画像表示装置、画像表示装置の制御方法。
【図面の簡単な説明】
【００１１】
【図１】第１実施形態におけるプロジェクターの構成を示す概略ブロック図である。
【図２】制御部の構成を示す概略ブロック図である。
【図３】ＰＷＭ信号生成部において生成されるＰＷＭＹ信号及びＰＷＭＢ信号について示す説明図である。
【図４】フレーム期間において光源を間欠点灯する場合のＰＷＭＹ信号及びＰＷＭＢ信号について示す説明図である。
【図５】ＰＷＭＹ信号とＰＷＭＢ信号とでフレーム期間内における複数のＰＷＭパルスの周期の変動状態が異なる場合について示す説明図である。
【図６】第２実施形態におけるプロジェクターの構成を示す概略ブロック図である。
【図７】制御部の構成を示す概略ブロック図である。
【図８】ＰＷＭ信号生成部において生成されるＰＷＭＲ信号とＰＷＭＧ信号とＰＷＭＢ信号とでフレーム期間内における複数のＰＷＭパルスの周期の変動状態が異なる場合について示す説明図である。
【図９】ＰＷＭ信号生成部において生成されるＰＷＭＲ信号とＰＷＭＧ信号とＰＷＭＢ信号とでフレーム期間内における複数のＰＷＭパルスの周期の変動状態が異なる場合の他の例について示す説明図である。
【発明を実施するための形態】
【００１２】
Ａ．第１実施形態：
Ａ１．プロジェクターの構成：
図１は、第１実施形態におけるプロジェクターの構成を示す概略ブロック図である。プロジェクター５０は、青色光用照明装置５１と、黄色光用照明装置５２と、ダイクロイックミラー２５と、導光光学系３Ｒ，３Ｇ，３Ｂと、反射型液晶パネル４Ｒ，４Ｇ，４Ｂと、赤色光用光センサー３６Ｒと、緑色光用光センサー３６Ｇと、青色光用光センサー３６Ｂと、クロスダイクロイックプリズム５と、投写光学系６と、制御部６３と、を備える。
【００１３】
青色光用照明装置５１は、一例として主にＰ偏光の青色光ＬＢを射出する。黄色光用照明装置５２は、一例として主にＰ偏光の黄色光ＬＹを射出する。
【００１４】
ダイクロイックミラー２５は、所定の波長領域の光束を反射し、他の波長領域の光束を透過する波長選択膜が基板上に形成された光学素子である。本実施形態では、ダイクロイックミラー２５は、一例として、黄色光用照明装置５２が射出した黄色光ＬＹのうち、予め決められた基準波長より波長が長い赤色光ＬＲを透過させ、予め決められた基準波長以下の波長の緑色光ＬＧを反射する。
【００１５】
導光光学系３Ｒは、ダイクロイックミラー２５が透過した赤色光ＬＲのうち、偏光ビームスプリッター２６で反射したＳ偏光の赤色光を赤色光用光センサー３６Ｒへ導く。一方、導光光学系３Ｒは、ダイクロイックミラー２５が透過した赤色光ＬＲのうち、偏光ビームスプリッター２６を透過したＰ偏光の赤色光を反射型液晶パネル４Ｒへ導く。また、導光光学系３Ｒは、反射型液晶パネル４Ｒから反射された赤色光のうち、偏光ビームスプリッター２６で反射したＳ偏光の赤色光をクロスダイクロイックプリズム５へ導く。
【００１６】
導光光学系３Ｇは、ダイクロイックミラー２５が反射した緑色光ＬＧのうち、偏光ビームスプリッター２７で反射したＳ偏光の緑色光を緑色光用光センサー３６Ｇへ導く。導光光学系３Ｇは、ダイクロイックミラー２５が反射した緑色光ＬＧのうち、偏光ビームスプリッター２７を透過したＰ偏光の緑色光を反射型液晶パネル４Ｇへ導く。また、導光光学系３Ｇは、反射型液晶パネル４Ｇから反射された緑色光のうち、偏光ビームスプリッター２７で反射したＳ偏光の緑色光をクロスダイクロイックプリズム５へ導く。
【００１７】
導光光学系３Ｂは、青色光用照明装置５１が射出した青色光ＬＢのうち、偏光ビームスプリッター２８で反射したＳ偏光の青色光を青色光用光センサー３６Ｂへ導く。導光光学系３Ｂは、青色光用照明装置５１が射出した青色光ＬＢのうち、偏光ビームスプリッター２８を透過したＰ偏光の青色光を反射型液晶パネル４Ｂへ導く。また、導光光学系３Ｂは、反射型液晶パネル４Ｂから反射された青色光のうち、偏光ビームスプリッター２８で反射したＳ偏光の青色光をクロスダイクロイックプリズム５へ導く。
【００１８】
反射型液晶パネル４Ｒは、導光光学系３Ｒにより導かれた赤色光を画像信号に応じて変調し、赤色の画像を表す画像光を射出する。同様に、反射型液晶パネル４Ｇは、導光光学系３Ｇにより導かれた緑色光を画像信号に応じて変調し、緑色の画像を表す画像光を射出する。同様に、反射型液晶パネル４Ｂは、導光光学系３Ｂにより導かれた青色光を画像信号に応じて変調し、青色の画像を表す画像光を射出する。クロスダイクロイックプリズム５は、導光光学系３Ｒが導いた赤色の画像光、導光光学系３Ｇが導いた緑色の画像光、導光光学系３Ｂが導いた青色の画像光を合成する。投写光学系６は、クロスダイクロイックプリズム５によって合成されたカラー画像を表す画像光をスクリーンＳＣＲ等の投写面に投写する。
【００１９】
赤色光用光センサー３６Ｒは、導光光学系３Ｒが導いたＳ偏光の赤色光の明るさ（本実施形態では、一例として光強度）を検出する。赤色光用光センサー３６Ｒは、検出した赤色光の光強度を示す赤色光強度信号を制御部６３へ出力する。同様に、青色光用光センサー３６Ｂは、導光光学系３Ｂが導いたＳ偏光の青色光の明るさ（本実施形態では、一例として光強度）を検出する。青色光用光センサー３６Ｂは、検出した青色光の光強度を示す青色光強度信号を制御部６３に出力する。また同様に、緑色光用光センサー３６Ｇは、導光光学系３Ｇが導いたＳ偏光の緑色光の強度を検出する。緑色光用光センサー３６Ｇは、検出した緑色光の強度を示す緑色光強度信号を制御部６３に出力する。
【００２０】
青色光用照明装置５１は、青色レーザーダイオードアレイ５３と、平行化レンズ５４と、集光レンズ５５と、拡散板５６と、ピックアップレンズ５７と、平行化レンズ５８と、第１レンズアレイ９と、第２レンズアレイ１０と、偏光変換素子１１と、重畳レンズ１２とを備える。
【００２１】
青色レーザーダイオードアレイ５３は、例えば１２個の青色レーザーダイオード５９が４個×３個のアレイ状に配列されたものである。平行化レンズ５４は、個々の青色レーザーダイオード５９に対応する位置に、個々の青色レーザーダイオード５９と同じ数だけ設けられている。第１レンズアレイ９は、平行化レンズ５８から射出される照明光束を複数の部分光束に分割するための複数の第１小レンズ１３を有する。第２レンズアレイ１０は、第１レンズアレイ９の複数の第１小レンズ１３に対応する複数の第２小レンズ１４を有する。偏光変換素子１１は、第２レンズアレイ１０からの各部分光束を偏光方向の揃った略１種類の直線偏光に変換して射出する。重畳レンズ１２は、偏光変換素子１１から射出される各部分光束を被照明領域で重畳させる。
【００２２】
青色レーザーダイオード５９から射出された青色光ＬＢは、平行化レンズ５４により平行化された後、集光レンズ５５により集光され、拡散板５６上に照射されることで点光源が形成される。拡散板５６上の各点光源からの青色の拡散光は、ピックアップレンズ５７を透過して平行化レンズ５８により平行化された後、第１レンズアレイ９に入射する。
【００２３】
第１レンズアレイ９は、平行化レンズ５８からの平行光を複数の部分光束に分割する光束分割光学素子としての機能を有する。第１レンズアレイ９は、複数の第１小レンズ１３が照明光軸５１ａｘと直交する面内に複数行・複数列のマトリクス状に配列された構成を有する。図示による説明は省略するが、第１小レンズ１３の外形形状は、反射型液晶パネル４Ｂの画像光を射出する画像形成領域の外形形状に関して相似形である。
【００２４】
第２レンズアレイ１０は、重畳レンズ１２とともに、第１レンズアレイ９の各第１小レンズ１３の像を反射型液晶パネル４Ｂの画像形成領域近傍に結像させる機能を有する。第２レンズアレイ１０は、第１レンズアレイ９と同様、複数の第２小レンズ１４が照明光軸５１ａｘに直交する面内に複数行・複数列のマトリクス状に配列された構成を有する。
【００２５】
偏光変換素子１１は、第１レンズアレイ９により分割された各部分光束の偏光方向を、偏光方向の揃った略１種類の直線偏光として射出する。偏光変換素子１１は、青色レーザーダイオード５９からの照明光のうち、一方の偏光（例えばＰ偏光）を透過し、他方の偏光（例えばＳ偏光）を照明光軸５１ａｘに垂直な方向に向けて反射する偏光分離層と、偏光分離層で反射された他方の偏光成分を有する光を照明光軸５１ａｘに平行な方向に反射する反射層と、偏光分離層を反射した一方の偏光成分を有する光を他方の偏光成分を有する光に変換する位相差板とを有する。なお、偏光変換素子１１を透過した光は、概ねＰ偏光となるが、全てがＰ偏光となるわけではなく、Ｓ偏光も混在している。
【００２６】
重畳レンズ１２は、第１レンズアレイ９、第２レンズアレイ１０および偏光変換素子１１を経た複数の部分光束を集光して反射型液晶パネル４Ｂの画像形成領域近傍に重畳させるための光学素子である。重畳レンズ１２は、重畳レンズ１２の光軸と青色光用照明装置５１の照明光軸５１ａｘとが略一致するように配置されている。なお、重畳レンズ１２は、複数のレンズを組み合わせた複合レンズで構成されていてもよい。
【００２７】
黄色光用照明装置５２は、励起用レーザーダイオードアレイ６０と、平行化レンズ５４と、集光レンズ５５と、蛍光体基板６１と、ピックアップレンズ５７と、平行化レンズ５８と、第１レンズアレイ９と、第２レンズアレイ１０と、偏光変換素子１１と、重畳レンズ１２とを備える。励起用レーザーダイオードアレイ６０は、例えば３０個の励起用レーザーダイオード６２が６個×５個のアレイ状に配列されたものである。励起用レーザーダイオード６２は、蛍光体を励起させるための励起光として、紫外光もしくは青色光を射出するものである。平行化レンズ５４は、個々の励起用レーザーダイオード６２に対応して設けられている。蛍光体基板６１は、紫外光、青色光等の励起光を受けて黄色光を発する蛍光体層が基板上に形成されたものである。
【００２８】
励起用レーザーダイオード６２から射出された各励起光は、平行化レンズ５４により平行化された後、集光レンズ５５により集光され、蛍光体基板６１上に照射されることで点光源が形成される。蛍光体基板６１上の各点光源から発光した黄色光ＬＹは、ピックアップレンズ５７を透過して平行化レンズ５８により平行化された後、第１レンズアレイ９に入射する。
【００２９】
黄色光用照明装置５２内の第１レンズアレイ９、第２レンズアレイ１０、偏光変換素子１１及び重畳レンズ１２はそれぞれ、青色光用照明装置５１内の第１レンズアレイ９、第２レンズアレイ１０、偏光変換素子１１及び重畳レンズ１２と同じ構成であるので、その説明を省略する。但し、黄色光用照明装置５２では、青色光用照明装置５１の照明光軸５１ａｘが照明光軸５２ａｘに変更されている点が異なる。
【００３０】
導光光学系３Ｂは、集光レンズ３２Ｂと、第１の絞り（入射角制限部材）３７と、偏光ビームスプリッター（偏光分離素子）２８と、第２の絞り３８と、偏光板３４Ｂとを備える。
【００３１】
集光レンズ３２Ｂは、重畳レンズ１２で集光された青色光ＬＢの各部分光束を各主光線に対して略平行な光束に変換する。第１の絞り３７は、集光レンズ３２Ｂが変換した略平行な光束を絞る。これにより、重畳レンズ１２で集光された青色光ＬＢは、集光レンズ３２Ｂおよび第１の絞り３７を介して偏光ビームスプリッター２８に入射する。このとき、青色光用照明装置５１からの照明光束は偏光変換素子１１によって概ね偏光方向の揃った略１種類の直線偏光（例えば、Ｐ偏光）に揃えられていることから、集光レンズ３２Ｂを通過した光は、偏光ビームスプリッター２８を通過して青色光用の反射型液晶パネル４Ｂに入射する。なお、他の集光レンズ３２Ｒ、集光レンズ３２Ｇも、集光レンズ３２Ｂと同様に構成されている。
【００３２】
偏光ビームスプリッター２８は、プレートタイプの偏光ビームスプリッターであって、透光性の基板に偏光分離膜を設けた構成からなる。偏光ビームスプリッター２８は、一方の偏光を透過し、他方の偏光を反射する機能を有する。本実施形態の場合、偏光ビームスプリッター２８は、一例としてＰ偏光を透過し、Ｓ偏光を反射する機能を有する。第２の絞り３８は、偏光ビームスプリッター２８が反射したＳ偏光の青色光の光束を絞る。これにより、第２の絞り３８により絞られた光が、青色光用光センサー３６Ｂに導かれる。
【００３３】
また、偏光ビームスプリッター２８は、反射型液晶パネル４Ｂから反射された青色光のうちＳ偏光の青色光を反射し、Ｐ偏光の青色光を透過させる。これにより、偏光ビームスプリッター２８で反射したＳ偏光の青色光が偏光板３４Ｂへ導かれる。偏光板３４Ｂは、導かれた青色光のうち、所定の方向に偏光した光だけを通過させる。これにより、所定の方向に偏光した青色光がクロスダイクロイックプリズム５へ導かれる。なお、他の偏光ビームスプリッター（偏光分離素子）２６、偏光ビームスプリッター（偏光分離素子）２７も、上述の偏光ビームスプリッター２８と同様に構成されている。
【００３４】
上述したように、青色光用照明装置５１からの照明光束は偏光変換素子１１によって概ねＰ偏光に揃えられており、青色のＰ偏光は偏光ビームスプリッター２８を透過して青色光用の反射型液晶パネル４Ｂに入射する。ところが、実際には偏光変換素子１１を透過した光が全てＰ偏光に変換されているのではなく、Ｓ偏光も混在している。よって、偏光ビームスプリッター２８に入射したＳ偏光は、偏光ビームスプリッター２８で反射する。青色光の光路において、偏光ビームスプリッター２８で反射するＳ偏光の光路上に青色光用光センサー３６Ｂが備えられている。
【００３５】
導光光学系３Ｒは、集光レンズ３２Ｒと、第１の絞り３７と、偏光ビームスプリッター（偏光分離素子）２６と、第２の絞り（入射角制限部材）３８と、偏光板３４Ｒとを備える。
【００３６】
集光レンズ３２Ｒは、ダイクロイックミラー２５を透過した赤色光ＬＲの各部分光束を各主光線に対して略平行な光束に変換する。第１の絞り３７は、集光レンズ３２Ｒが変換した略平行な光束を絞る。これにより、ダイクロイックミラー２５を透過した赤色光ＬＲは、集光レンズ３２Ｒおよび第１の絞り３７を介して偏光ビームスプリッター２６に入射する。このとき、黄色光用照明装置５２からの照明光束は偏光変換素子１１によって概ね偏光方向の揃った略１種類の直線偏光（例えば、Ｐ偏光）に揃えられていることから、集光レンズ３２Ｒを通過した光は、偏光ビームスプリッター２６を通過して赤色光用の反射型液晶パネル４Ｒに入射する。
【００３７】
また、偏光ビームスプリッター２６は、一例としてＰ偏光を透過し、Ｓ偏光を反射する機能を有する。第２の絞り３８は、偏光ビームスプリッター２６が反射したＳ偏光の色光の光束を絞る。これにより、第２の絞り３８により絞られた光が、赤色光用光センサー３６Ｒへ導かれる。
【００３８】
また、偏光ビームスプリッター２６は、反射型液晶パネル４Ｒから反射された赤色光のうちＳ偏光の赤色光を反射し、Ｐ偏光の赤色光を透過させる。これにより、偏光ビームスプリッター２６で反射したＰ偏光の赤色光が偏光板３４Ｒへ導かれる。偏光板３４Ｒは、導かれた赤色光のうち、所定の方向に偏光した光だけを通過させる。これにより、所定の方向に偏光した赤色光がクロスダイクロイックプリズム５へ導かれる。
【００３９】
導光光学系３Ｇは、集光レンズ３２Ｇと、第１の絞り３７と、偏光ビームスプリッター（偏光分離素子）２７と、第２の絞り（入射角制限部材）３８と、偏光板３４Ｇとを備える。
【００４０】
集光レンズ３２Ｇは、ダイクロイックミラー２５が反射した緑色光ＬＧの各部分光束を各主光線に対して略平行な光束に変換する。第１の絞り３７は、集光レンズ３２Ｇが変換した略平行な光束を絞る。これにより、ダイクロイックミラー２５が反射した緑色光ＬＧは、集光レンズ３２Ｇおよび第１の絞り３７を介して偏光ビームスプリッター２７に入射する。このとき、黄色光用照明装置５２からの照明光束は偏光変換素子１１によって概ね偏光方向の揃った略１種類の直線偏光（例えば、Ｐ偏光）に揃えられていることから、集光レンズ３２Ｇを通過した光は、偏光ビームスプリッター２７を通過して緑色光用の反射型液晶パネル４Ｇに入射する。
【００４１】
また、偏光ビームスプリッター２７は、一例としてＰ偏光を透過し、Ｓ偏光を反射する。第２の絞り３８は、偏光ビームスプリッター２７が反射したＳ偏光の緑色光の光束を絞る。これにより、第２の絞り３８により絞られた光が、緑色光用光センサー３６Ｇに導かれる。
【００４２】
また、偏光ビームスプリッター２７は、反射型液晶パネル４Ｇから反射された緑色光のうちＳ偏光の緑色光を反射し、Ｐ偏光の緑色光を透過させる。これにより、偏光ビームスプリッター２７で反射したＳ偏光の緑色光が偏光板３４Ｇへ導かれる。偏光板３４Ｇは、導かれた緑色光のうち、所定の方向に偏光した光だけを通過させる。これにより、所定の方向に偏光した緑色光がクロスダイクロイックプリズム５へ導かれる。
【００４３】
反射型液晶パネル４Ｒ、反射型液晶パネル４Ｇ、及び反射型液晶パネル４Ｂは、画像信号に応じて照明光を変調し、画像を表す画像光を射出する光変調部である。反射型液晶パネル４Ｒおよび反射型液晶パネル４Ｇは、黄色光用照明装置５２の被照明対象となる光変調部である。反射型液晶パネル４Ｂは、青色光用照明装置５１の被照明対象となる光変調部である。なお、反射型液晶パネル４Ｒ、反射型液晶パネル４Ｇ、及び反射型液晶パネル４Ｂは、本発明の「画像光射出部」に相当する。
【００４４】
反射型液晶パネル４Ｒ、反射型液晶パネル４Ｇ、及び反射型液晶パネル４Ｂは、液晶層を挟持する一対の基板と、光入射側の基板と対向する基板側に配置された反射層（もしくは反射電極）と、を備えている。また、反射型液晶パネル４Ｒ、反射型液晶パネル４Ｇ、反射型液晶パネル４Ｂの光入射側と反対側の面には、図１に示すように、それぞれ放熱フィン３３Ｒ、放熱フィン３３Ｇ、放熱フィン３３Ｂが配設されている。
【００４５】
クロスダイクロイックプリズム５は、偏光板３４Ｒ、偏光板３４Ｇ、及び偏光板３４Ｂから射出された色光毎に変調された画像光を合成し、カラー画像を表す画像光を形成する光学素子である。クロスダイクロイックプリズム５は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は青色光ＬＢを反射し、他方の界面に形成された誘電体多層膜は赤色光ＬＲを反射する。これらの誘電体多層膜によって青色の画像光および赤色の画像光は曲折され、クロスダイクロイックプリズム５を透過する緑色の画像光の進行方向と揃えられることにより、３つの色の画像光が合成される。クロスダイクロイックプリズム５から射出された画像光によって形成されるカラー画像は、投写光学系６によって拡大投写され、スクリーンＳＣＲ上で画像を形成する。
【００４６】
制御部６３は、制御信号（不図示）によって設定される情報に応じて、青色（Ｂ）光の光源としての青色レーザーダイオードアレイ５３を構成する点光源である青色レーザーダイオード（ＢＬＤ）５９の発する光量の調整を制御し、黄色（Ｙ）光の光源としての励起用レーザーダイオードアレイ６０を構成する点光源である励起用レーザーダイオード６２の発する光量の調整を制御する。なお、制御部６３は、青色光用光センサー３６Ｂが検出した光の強度に応じて、青色レーザーダイオード５９の発する光量の調整を制御することや、赤色光用光センサー３６Ｒあるいは緑色光用光センサー３６Ｇが検出した光の強度に応じて、励起用レーザーダイオード６２の光量の調整を制御することもできる。また、制御部６３は、映像信号（不図示）に応じて反射型液晶パネル４Ｒ，４Ｇ，４Ｂの各画素の反射率を制御する。制御部６３に入力される映像信号は、連続するフレームの画像を示す複数の画像信号でもよいし、一フレームの画像を示す画像信号でもよい。
【００４７】
図２は、図１の制御部の構成を示す概略ブロック図である。なお、同図では、制御部６３及び反射型液晶パネル４Ｒ，４Ｇ，４Ｂの他に、青色（Ｂ）光の光源を構成する点光源である青色レーザーダイオード（ＢＬＤ）５９、及び、黄色（Ｙ）光の光源を構成する点光源である励起用レーザーダイオード（励起用ＬＤ）６２が示されている。
【００４８】
制御部６３は、画像制御部として、画像処理部６４と、液晶駆動部６６Ｒ，６６Ｇ，６６Ｂとを備え、光源制御部として、駆動処理部６５と、ＰＷＭ信号生成部６７と、励起用レーザーダイオード駆動部６８と、青色レーザーダイオード駆動部６９とを備える。光源としてのレーザーダイオードの出力は、例えば、明るさである。明るさは例えば光強度（光量）に対応する。
【００４９】
画像処理部６４は、受け取った映像信号に対して各種の画質補正処理を適用し、画質補正処理後の信号を液晶駆動部６６Ｒ，６６Ｇ，６６Ｂへ出力する。これにより、液晶駆動部６６Ｒ，６６Ｇ，６６Ｂは、画像処理部６４から入力された信号を用いて、それぞれ反射型液晶パネル４Ｒ，４Ｇ，４Ｂの反射率を制御することにより、映像信号に含まれるそれぞれの色の画像信号に応じた色の画像光を射出する。
【００５０】
駆動処理部６５は、受け取った制御信号に応じて、青色レーザーダイオード５９による青色光の光源及び励起用レーザーダイオード６２による黄色光の光源の調光制御のための処理および制御を実行する。ここで、制御信号とは、スクリーンＳＣＲ（図１）に表示されるメニュー画面（図示せず）で、ユーザーが入力したユーザー設定、またはカラーモードの表示に係る情報を含む信号である。これにより、光源７１の光量は、ユーザー設定、またはカラーモードに連動した明るさ及び色設定に基づいて制御される。なお、駆動処理部６５Ａは、受け取った映像信号の明るさ（階調値）に適応した調光制御を行なうことも可能である。また、不図示の赤色光用光センサー３６Ｒ、緑色光用光センサー３６Ｇ、及び青色光用光センサー３６Ｂで検出した光の強度に応じて調光制御を行なうことも可能である。
【００５１】
駆動処理部６５は、明るさの設定値に対応する励起用レーザーダイオード６２の励起用駆動電流値ＣＹ及びＰＷＭ駆動のための励起用デューティー値ＤｕｔｙＹを導出する。また、駆動処理部６５は、同様に、青色レーザーダイオード５９の青用駆動電流値ＣＢ及びＰＷＭ駆動のための青色デューティー値ＤｕｔｙＢを導出する。
【００５２】
ＰＷＭ信号生成部６７は、画像処理部６４から供給される同期信号（映像信号の垂直同期信号Ｖｓｙｎｃ）に基づいて、励起用デューティー値ＤｕｔｙＹから励起用レーザーダイオード６２の明滅と対応させるようにＰＷＭ（パルス幅変調）させたＰＷＭＹ信号を生成し、生成したＰＷＭＹ信号を励起用レーザーダイオード駆動部６８へ出力する。同様に、ＰＷＭ信号生成部６７は、同期信号に基づいて、青色デューティー値ＤｕｔｙＢから青色レーザーダイオード５９の明滅と対応させるようにＰＷＭ（パルス幅変調）させたＰＷＭＢ信号を生成し、生成したＰＷＭＢ信号を青色レーザーダイオード駆動部６９へ出力する。
【００５３】
励起用レーザーダイオード駆動部６８は、ＰＷＭＹ信号の波形に基づいた励起用レーザーダイオード６２のＯＮ／ＯＦＦ制御を行う。なお、励起用レーザーダイオード駆動部６８は、励起用デューティー値ＤｕｔｙＹが１００％の場合には、励起用レーザー６２のＯＮ／ＯＦＦ制御を行わず、励起用駆動電流値ＣＹで定電流駆動を行うことができる。また、青色レーザーダイオード駆動部６９は、ＰＷＭＢ信号の波形に基づいた青色レーザーダイオード５９のＯＮ／ＯＦＦ制御を行う。なお、青色レーザーダイオード駆動部６９は、青色デューティー値ＤｕｔｙＢが１００％の場合には、青色レーザーダイオード５９のＯＮ／ＯＦＦ制御を行わず、青用駆動電流値ＣＢで定電流駆動を行なうことができる。
【００５４】
なお、以上の説明からわかるように、駆動処理部６５、ＰＷＭ信号生成部６７、励起用レーザーダイオード駆動部６８、及び青色レーザーダイオード駆動部６９は、本発明の光源制御部に相当する。
【００５５】
Ａ２．ＰＷＭ信号：
ＰＷＭ信号生成部６７において生成されるＰＷＭＹ信号およびＰＷＭＢ信号は、以下で説明する特徴を有している。なお、以下では、ＰＷＭＹ信号およびＰＷＭＢ信号を特に区別しない場合には単に「ＰＷＭ信号」とも呼ぶ。
【００５６】
図３は、ＰＷＭ信号生成部６７において生成されるＰＷＭＹ信号及びＰＷＭＢ信号について示す説明図である。図３（ａ）は映像信号に含まれる垂直同期信号Ｖｓｙｎｃの波形を示しており、図３（ｂ）は液晶駆動部６６Ｒ，６６Ｇ，６６Ｂを介して反射型液晶パネル４Ｒ，４Ｇ，４Ｂに供給される液晶パネル駆動用のタイミング信号ＤＹの波形を示している。図３（ｃ）は励起用デューティー値ＤｕｔｙＹ及び青色デューティー値ＤｕｔｙＢを示している。図３（ｄ）はＰＷＭＹ信号を示し、図３（ｅ）はＰＷＭＢ信号を示している。
【００５７】
垂直同期信号Ｖｓｙｎｃの周波数ｆｖは１２０Ｈｚである。これは、画像処理部６４において、通常６０Ｈｚの垂直同期信号に基づく映像信号を１２０Ｈｚの垂直同期信号に基づく映像信号に変換して処理する場合を例として示している。また、液晶パネル駆動用のタイミング信号ＤＹは垂直同期信号Ｖｓｙｎｃの２倍の周波数の２４０Ｈｚとなっており、反射型液晶パネル４Ｒ，４Ｇ，４Ｂは垂直同期信号Ｖｓｙｎｃの２倍のリフレッシュレートで駆動される。これは、垂直同期信号Ｖｓｙｎｃの１周期（「フレーム」とも呼ぶ）の期間（「フレーム期間」とも呼ぶ）において、同じ映像信号に対して正極性と負極性とで液晶パネルを２度駆動することにより、液晶パネルの焼き付きを抑制するためである。
【００５８】
ＰＷＭの励起用デューティー値ＤｕｔｙＹ及び青色デューティー値ＤｕｔｙＢとしては、両方とも同じ値で、垂直同期信号Ｖｓｙｎｃの発生タイミングにおいて３０％から５０％に変化する場合を例として示している。なお、画像処理装置が映像信号をフレームごとに解析した結果によりフレームごとの適切な光量を求める場合は、その光量に対応するＰＷＭのデューティー値を、励起用デューティー値ＤｕｔｙＹ及び青色デューティー値ＤｕｔｙＢとして設定することができる。
【００５９】
ＰＷＭＹ信号及びＰＷＭＢ信号は、垂直同期信号Ｖｓｙｎｃの周波数（「フレーム周波数」とも呼ぶ）ｆｖが１２０Ｈｚのフレーム期間において８回の点灯および消灯を繰り返すこととし、フレーム期間（「フレーム周期」とも呼ぶ）ごとに８つのＰＷＭパルスＰ１〜Ｐ８で構成されている。ＰＷＭＹ信号の各ＰＷＭパルスＰ１〜Ｐ８は、フレーム周波数ｆｖ（＝１２０Ｈｚ）の８倍の基準周波数ｆ０（＝１２０Ｈｚ×８＝９６０Ｈｚ）を中心として変化させた周波数ｆ１〜ｆ８で、かつ、それらの平均値が基準周波数ｆ０となり、それぞれの周期Ｔ１（＝１／ｆ１）〜Ｔ８（＝１／ｆ８）のトータル期間がフレーム期間と一致するように設定されている。なお、励起用デューティー値ＤｕｔｙＹ及び青色デューティー値ＤｕｔｙＢが３０％から５０％となった場合における各ＰＷＭパルスＰ１〜Ｐ８は、デューティー値に応じてパルス幅が変化しているが、それぞれの周波数ｆ１〜ｆ８に対応する周期Ｔ１〜Ｔ８に変化はない。また、ＰＷＭＢ信号の各ＰＷＭパルスＰ１〜Ｐ８もＰＷＭＹ信号と同じに設定されている。本例では、第１のＰＷＭパルスＰ１の周波数ｆ１は１．０倍（基準，０％）、第２のＰＷＭパルスＰ２の周波数ｆ２は１．１倍（＋１０％）、第３のＰＷＭパルスＰ３の周波数ｆ３は１．２倍（＋２０％）、第４のＰＷＭパルスの周波数ｆ４は１．０５倍（＋５％）、第５のＰＷＭパルスＰ５の周波数ｆ５は１．０倍（基準，０％）、第６のＰＷＭパルスＰ６の周波数ｆ６は０．９倍（−１０％）、第７のＰＷＭパルスＰ７の周波数ｆ７は０．８倍（−２０％）、第８のＰＷＭパルスＰ８の周波数ｆ８は０．９５倍（−５％）に設定されている。なお、あるデューティー値が設定された状態においては、上記したように各パルスの周波数、すなわち、周期が異なるように設定されたとしても、それぞれの周期における点灯時（オン）のデューティーは、設定されたデューティー値となるように設定される。
【００６０】
従来例で説明したように、ＰＷＭパルスの周期（周波数）を変動させることにより、光源のＰＷＭ制御に起因して発生するスクロールノイズを抑制可能である。しかしながら、ＰＷＭパルスの周期の変動の繰り返し周期は、液晶パネルの駆動周期（フレーム周期）と関係ないため、フレーム周波数（フレーム周期）と、ＰＷＭパルスの周期の変動の繰り返し周波数（変動の繰り返し周期）との干渉によっても、同様に画面にスクロールノイズが発生する。これに対して、上記ＰＷＭ信号の場合には、ＰＷＭパルスの周期の変動の繰り返し周期は、フレーム周期に同期しているので、フレーム周波数と、ＰＷＭパルスの周期の変動の繰り返し周波数との間の干渉によるスクロールノイズを目立ち難くすることが可能である。
【００６１】
また、フレーム期間内におけるＰＷＭパルスの周波数を基準周波数に対して変動させることにより、フレーム期間内におけるＰＷＭパルスによる光源のスイッチングの周波数を分散することができるので、光源のスイッチングにより発生するノイズのエネルギーを分散させることができる。これにより、課題で説明した、光源のスイッチングが同じ周波数で行われるＰＷＭ制御により発生する光源やその他の付随回路など（光源等）の振動を抑制し、振動を起因として発生する騒音や画質劣化等を抑制することが可能となる。また、同一の周波数（周期）のＰＷＭパルスが連続して発生して、同じ周波数のスイッチングノイズが時間的に集中することによるノイズのエネルギーの集中も、振動及び振動による騒音や画質劣化等を招き得る。そこで、同一の周波数（周期）のＰＷＭパルスは連続して（時間的に隣接して）発生しないような変動のパターンとすることが好ましい。
【００６２】
図４は、フレーム期間において光源を間欠点灯する場合のＰＷＭＹ信号及びＰＷＭＢ信号について示す説明図である。図４（ａ）〜図４（ｅ）は、図３（ａ）〜図３（ｅ）と同様に、垂直同期信号Ｖｓｙｎｃ、液晶パネル駆動用のタイミング信号ＤＹ、励起用デューティー値ＤｕｔｙＹ及び青色デューティー値ＤｕｔｙＢ、励起用レーザーダイオード６２の駆動用のＰＷＭＹ信号、青色レーザーダイオード５９の駆動用のＰＷＭＢ信号を示している。また、図４（ｆ）は、光源としての励起用レーザーダイオード６２および青色レーザーダイオード５９の非点灯期間を表すＭＳＫ信号を示している。図４（ｆ）に示すように、非点灯期間は、垂直同期信号Ｖｓｙｎｃの周期で表されるフレーム周期の期間（フレーム期間）の先頭から一定の期間に設定されている。この非点灯期間においては、ＰＷＭＹ信号およびＰＷＭＢ信号では、ＰＷＭパルスの出力が停止され、光源が非点灯となる。図４（ｄ）のＰＷＭＹ信号および図４（ｅ）のＰＷＭＢ信号では、第１のＰＷＭパルスＰ１〜第４のＰＷＭパルスＰ４の出力が停止された例を示している。
【００６３】
上記したように、１周期のフレーム期間で発生する２周期のタイミング信号ＤＹに基づいて、同じ映像信号での液晶パネルの駆動による表示が２度実行される。３Ｄ表示や動画表示の場合、タイミング信号ＤＹの１周期目の期間では、前のフレーム期間の２周期目の期間とは異なった映像信号での駆動が行われるため、異なったフレーム間での映像のクロストークが発生しうる。例えば、３Ｄ表示の場合には、フレーム期間ごとに左目用の映像と右目用の映像とを切り替えるため、フレーム期間の先頭のタイミング信号ＤＹの１周期目の期間で左目用の映像と右目用の映像のクロストークが発生しうる。また、動画表示の場合には、フレーム期間ごとに変化する映像となるため、フレーム期間の先頭のタイミング信号ＤＹの１周期目の期間で変化する映像のクロストークによる動画ボケが発生しうる。
【００６４】
そこで、フレーム期間の先頭のタイミング信号ＤＹの１周期目の期間のうち、クロストークの発生し得る一定の期間において、ＰＷＭパルスの出力を停止して光源を非点灯とすることにより、クロストークや動画ボケが視認されることを抑制することができる。なお、本例では、図３と同じ周波数に設定された８つのＰＷＭパルスＰ１〜Ｐ８のうち、非点灯期間に対応するＰＷＭパルスＰ１〜Ｐ４の出力を停止することとしたが、点灯期間の中でＰＷＭパルスの周波数を、基準周波数ｆ０を中心として変化させた周波数で、かつ、それらの平均値が基準周波数ｆ０となるようなパターンに設定して、光源等の振動を効果的に抑制し、振動を起因として発生する騒音や画質劣化等を抑制するようにしてもよい。
【００６５】
図５は、ＰＷＭＹ信号とＰＷＭＢ信号とでフレーム期間内における複数のＰＷＭパルスの周期の変動状態が異なる場合について示す説明図である。図５（ａ）〜図５（ｅ）は、図３（ａ）〜図３（ｅ）と同様に、垂直同期信号Ｖｓｙｎｃ、液晶パネル駆動用のタイミング信号ＤＹ、励起用デューティー値ＤｕｔｙＹ及び青色デューティー値ＤｕｔｙＢ、励起用レーザーダイオード６２の駆動用のＰＷＭＹ信号、青色レーザーダイオード５９の駆動用のＰＷＭＢ信号を示している。ただし、図５（ｄ）のＰＷＭＹ信号の１フレーム期間内の８つのＰＷＭパルスＰ１〜Ｐ８が周期Ｔ１〜Ｔ８（周波数ｆ１〜ｆ８）であるのに対して、図５（ｅ）のＰＷＭＢ信号の１フレーム期間内の８つのＰＷＭパルスＰ１〜Ｐ８は、第１〜第４のＰＷＭパルスＰ１〜Ｐ４が周期Ｔ５〜Ｔ８（周波数ｆ５〜ｆ８）で第５〜第８のＰＷＭパルスＰ５〜Ｐ８が周期Ｔ１〜Ｔ４（周波数ｆ１〜ｆ４）となっている。これは、ＰＷＭＢ信号のＰＷＭパルスの周期の変動状態は、ＰＷＭＹ信号のＰＷＭパルスの周期の変動状態に対して、変動の順番がずれているとも言える。また、ＰＷＭＢ信号のＰＷＭパルスの周期の変動状態は、ＰＷＭＹ信号の周期の変動状態と比較して、ＰＷＭパルスの周期の変動の組み合わせが異なっているとも言える。具体的には、ＰＷＭＹ信号は、第１〜第４のＰＷＭパルスＰ１〜Ｐ４が周期Ｔ１〜周期Ｔ４で、第５〜第８のＰＷＭパルスＰ５〜Ｐ８が周期Ｔ５〜Ｔ８となっている。これに対して、ＰＷＭＢ信号は、第１〜第４のＰＷＭパルスＰ１〜Ｐ４が周期Ｔ５〜周期Ｔ８で、第５〜第８のＰＷＭパルスＰ５〜Ｐ８が周期Ｔ１〜Ｔ４となっており、互いに反対の変動の組み合わせになっている。この場合、例えば、第１〜第４のＰＷＭパルスＰ１〜Ｐ４について着目すると、ＰＷＭＹ信号は周期Ｔ１〜Ｔ４のパルスで、ＰＷＭＢ信号は周期Ｔ５〜Ｔ８のパルスの組み合わせとなっており、両方のＰＷＭ信号のパルスを組み合わせて８種類の周期Ｔ１〜Ｔ８のパルスとなっている。また、第５〜第８のＰＷＭパルスＰ５〜Ｐ８についても同様である。
【００６６】
図５のＰＷＭＹ信号及びＰＷＭＢ信号の場合、図３のＰＷＭＹ信号及びＰＷＭＢ信号と同様に、ＰＷＭパルスの周期の変動の繰り返し周期がフレーム周期に同期しているので、フレーム周波数と、ＰＷＭパルスの周期の変動の繰り返し周波数との間の干渉によるスクロールノイズを目立ち難くすることが可能である。また、フレーム期間内におけるＰＷＭパルスによる光源のスイッチングの周波数を分散することができるので、光源等の振動を抑制し、振動を起因として発生する騒音や画質劣化等を抑制することが可能となる。さらにまた、同一時間において設定されているＰＷＭパルスの周期（周波数）が光源ごとに異なるように分散されているので、スイッチングノイズのエネルギーを図３の場合よりもさらに分散させることができる。これにより、光源等の振動をさらに抑制し、振動を起因として発生する騒音や画質劣化等の抑制効果をより高めることが可能となる。
【００６７】
Ｂ．第２実施形態：
Ｂ１．プロジェクターの構成：
図６は、第２実施形態におけるプロジェクターの構成を示す概略ブロック図である。プロジェクター５０ｂは、赤色光用照明装置５１Ｒと、緑色光用照明装置５１Ｇと、青色光用照明装置５１Ｂと、集光レンズ３２ｂＲ，３２ｂＧ，３２ｂＢと、透過型液晶パネル４ｂＲ，４ｂＧ，４ｂＢと、クロスダイクロイックプリズム５と、投写光学系６と、制御部６３ｂと、を備える。なお、第１実施形態のプロジェクター５０と同じ構成部材には同じ符号を付している。
【００６８】
青色光用照明装置５１Ｂは、第１実施形態の青色光用照明装置５１（図１参照）と同じである。赤色光用照明装置５１Ｒは青色光用照明装置５１の青色レーザーダイオード５９に代えて赤色レーザーダイオードを用いた照明装置であり、緑色光用照明装置５１Ｇは青色光用照明装置５１の青色レーザーダイオード５９に代えて緑色レーザーダイオードを用いた照明装置である。赤色光用照明装置５１Ｒ及び緑色光用照明装置５１Ｇのレーザーダイオード以外の他の構成は全く同じである。
【００６９】
赤色光用照明装置５１Ｒから射出された赤色の照明光は、集光レンズ３２ｂＲを介して透過型液晶パネル４ｂＲに入射される。同様に、緑色光用照明装置５１Ｇから射出された緑色の照明光は集光レンズ３２ｂＧを介して透過型液晶パネル４ｂＧに入射される。同様に、青色光用照明装置５１Ｂから射出された青色の照明光は集光レンズ３２ｂＢを介して透過型液晶パネル４ｂＢに入射される。
【００７０】
透過型液晶パネル４ｂＲは、入射された赤色光を画像信号に応じて変調する光変調部であり、赤色の画像を表す画像光を射出する。同様に、透過型液晶パネル４ｂＧは、入射された緑色光を画像信号に応じて変調する光変調部であり、緑色の画像を表す画像光を射出する。同様に、透過型液晶パネル４ｂＢは、入射された青色光を画像信号に応じて変調する光変調部であり、青色の画像を表す画像光を射出する。クロスダイクロイックプリズム５は、透過型液晶パネル４ｂＲから射出された赤色の画像光、透過型液晶パネル４ｂＧから射出された緑色の画像光、及び、透過型液晶パネル４ｂＢから射出された青色の画像光を合成する。投写光学系６は、クロスダイクロイックプリズム５によって合成されたカラー画像を表す画像光をスクリーンＳＣＲ等の投写面に投写する。なお、透過型液晶パネル４ｂＲ，４ｂＧ，４ｂＢは、本発明の「画像光射出部」に相当する。
【００７１】
図７は、図６の制御部の構成を示す概略ブロック図である。なお、同図では、制御部６３ｂ及び透過型液晶パネル４ｂＲ，４ｂＧ，４ｂＢの他に、赤色光の光源としての赤色レーザーダイオードアレイ５３Ｒの赤色レーザーダイオード（ＲＬＤ）５９Ｒ、緑色光の光源としての、緑色レーザーダイオードアレイ５３Ｇの緑色レーザーダイオード（ＧＬＤ）５９Ｇ、及び青色光の光源としての青色レーザーダイオードアレイ５３Ｂの青色レーザーダイオード（ＢＬＤ）５９Ｂが示されている。
【００７２】
制御部６３ｂは、第１実施形態の制御部６３（図２参照）と同様に、画像制御部及び光源制御部を備えている。画像制御部については制御部６３と同じであるので説明を省略する。光源制御部については、制御部６３の駆動処理部６５、ＰＷＭ信号生成部６７、励起用レーザーダイオード駆動部６８、及び青色レーザーダイオード駆動部６９に代えて、駆動処理部６５ｂ、ＰＷＭ信号生成部６７ｂ、赤色レーザーダイオード駆動部６９Ｒ、緑色レーザーダイオード駆動部６９Ｇ、及び青色レーザーダイオード駆動部６９Ｂを備えている。
【００７３】
青色レーザーダイオード駆動部６９Ｂは、青色レーザーダイオード駆動部６９と同じであり、青用駆動電流値ＣＢ及びＰＷＭＢ信号の波形に基づいた青色レーザーダイオード５９ＢのＯＮ／ＯＦＦ制御を行う。赤色レーザーダイオード駆動部６９Ｒは、同様に、赤用駆動電流値ＣＲ及びＰＷＭＲ信号の波形に基づいた赤色レーザーダイオード５９ＲのＯＮ／ＯＦＦ制御を行なう。緑色レーザーダイオード駆動部６９Ｇは、同様に、緑用駆動電流値ＣＧ及びＰＷＭＧ信号の波形に基づいた緑色レーザーダイオード５９ＧのＯＮ／ＯＦＦ制御を行なう。
【００７４】
ＰＷＭ信号生成部６７ｂは、ＰＷＭ信号生成部６７と同様に、同期信号に基づいて、青色デューティー値ＤｕｔｙＢからＰＷＭＢ信号を生成し、さらに、赤色デューティー値ＤｕｔｙＲからＰＷＭＲ信号を生成するとともに緑色デューティー値ＤｕｔｙＧからＰＷＭＧ信号を生成する。
【００７５】
駆動処理部６５ｂは、駆動処理部６５と同様に、明るさの設定値に対応する青色レーザーダイオード５９Ｂの青用駆動電流値ＣＢ及びＰＷＭ駆動のための青色デューティー値ＤｕｔｙＢを導出する。また、駆動処理部６５ｂは、明るさの設定値に対応する赤色レーザーダイオード５９Ｒの赤用駆動電流値ＣＲ及びＰＷＭ駆動のための赤色デューティー値ＤｕｔｙＲを導出し、明るさの設定値に対応する緑色レーザーダイオード５９Ｇの緑用駆動電流値ＣＧ及びＰＷＭ駆動のための緑色デューティー値ＤｕｔｙＧを導出する。
【００７６】
Ｂ２．ＰＷＭ信号：
図８は、ＰＷＭ信号生成部６７ｂにおいて生成されるＰＷＭＲ信号とＰＷＭＧ信号とＰＷＭＢ信号とでフレーム期間内における複数のＰＷＭパルスの周期の変動状態が異なる場合について示す説明図である。図８（ａ）及び図８（ｂ）は、図５（ａ）及び図５（ｂ）と同様に、垂直同期信号Ｖｓｙｎｃ及び液晶パネル駆動用のタイミング信号ＤＹを示している。図８（ｃ）は赤色デューティー値ＤｕｔｙＲ、緑色デューティー値ＤｕｔｙＧ、及び青色デューティー値ＤｕｔｙＢを、一定の３０％とした場合を例として示している。図８（ｄ）はＰＷＭＲ信号を示し、図８（ｅ）はＰＷＭＧ信号を示し、図８（ｆ）はＰＷＭＢ信号を示している。
【００７７】
ＰＷＭＲ信号とＰＷＭＧ信号とＰＷＭＢ信号は、図５（ｄ）のＰＷＭＹ信号および図５（ｅ）のＰＷＭＢ信号と同様に、フレーム周波数ｆｖが１２０Ｈｚのフレーム期間において８回の点灯および消灯を繰り返すこととし、フレーム期間（フレーム周期）ごとに８つのＰＷＭパルスＰ１〜Ｐ８で構成されている。ＰＷＭＲ信号の各ＰＷＭパルスＰ１〜Ｐ８は、図５（ｄ）のＰＷＭＹ信号と同様に、基準周波数ｆ０（＝９６０Ｈｚ）を中心として変化させた周波数ｆ１〜ｆ８で、かつ、それらの平均値が基準周波数ｆ０となり、それぞれの周期Ｔ１（＝１／ｆ１）〜Ｔ８（＝１／ｆ８）のトータル期間がフレーム期間と一致するように設定されている。これに対して、ＰＷＭＧ信号は、第３〜第８のＰＷＭパルスＰ３〜Ｐ８が周期Ｔ１〜Ｔ６（周波数ｆ１〜ｆ６）で第１〜第２のＰＷＭパルスＰ１，Ｐ２が周期Ｔ７，Ｔ８（周波数ｆ７，ｆ８）となっており、ＰＷＭＲ信号に対して変動の順番が２パルス分だけずれている。また、ＰＷＭＢ信号は、図５（ｅ）のＰＷＭＢ信号と同様に、第５〜第８のＰＷＭパルスＰ５〜Ｐ８が周期Ｔ１〜Ｔ４（周波数ｆ１〜ｆ４）で第１〜第４のＰＷＭパルスＰ１〜Ｐ４が周期Ｔ５〜Ｔ８（周波数ｆ５〜ｆ８）となっており、ＰＷＭＲ信号に対して変動の順番が４パルス分だけずれており、ＰＷＭＧ信号に対して変動の順番が２パルス分だけずれている。すなわち、ＰＷＭＲ信号とＰＷＭＧ信号とＰＷＭＢ信号とは、周期の変動状態が互いにずれるように設定されている。
【００７８】
図８のＰＷＭＲ信号とＰＷＭＧ信号とＰＷＭＢ信号の場合、図５のＰＷＭＹ信号及びＰＷＭＢ信号の場合と同様に、ＰＷＭパルスの周期の変動の繰り返し周期がフレーム周期に同期しているので、フレーム周波数と、ＰＷＭパルスの周期の変動の繰り返し周波数との間の干渉によるスクロールノイズを目立ち難くすることが可能である。また、フレーム期間内におけるＰＷＭパルスによる光源のスイッチングの周波数を分散することができるので、光源（あるいはその他の付随回路を含む光源装置）の振動を抑制し、振動を起因として発生する騒音や画質劣化等を抑制することが可能となる。さらにまた、同一時間において設定されているＰＷＭパルスの周期（周波数）が光源ごとに異なるようになっているので、図３のように各光源が同じ変動状態の場合において発生するスイッチングノイズのエネルギーよりもさらに分散させることができる。これにより、光源（あるいはその他の付随回路を含む光源装置）の振動をさらに抑制し、振動を起因として発生する騒音や画質劣化等の抑制効果をより高めることが可能となる。
【００７９】
図９は、ＰＷＭ信号生成部６７ｂにおいて生成されるＰＷＭＲ信号とＰＷＭＧ信号とＰＷＭＢ信号とでフレーム期間内における複数のＰＷＭパルスの周期の変動状態が異なる場合の他の例について示す説明図である。図９（ａ）〜図９（ｆ）は、図８（ａ）〜図８（ｆ）と同様に、垂直同期信号Ｖｓｙｎｃ、液晶パネル駆動用のタイミング信号ＤＹ、赤色デューティー値ＤｕｔｙＲ，緑色デューティー値ＤｕｔｙＧ，青色デューティー値ＤｕｔｙＢ、ＰＷＭＲ信号、ＰＷＭＧ信号、及びＰＷＭＢ信号を示している。
【００８０】
ＰＷＭＲ信号とＰＷＭＧ信号とＰＷＭＢ信号は、図８（ｄ）〜図８（ｆ）のＰＷＭＲ信号とＰＷＭＧ信号とＰＷＭＢ信号と異なり、フレーム周波数ｆｖが１２０Ｈｚのフレーム期間で光源数（本例では、赤色光用照明装置５１Ｒ、緑色光用照明装置５１Ｇ、及び青色光用照明装置５１Ｂの計３個）の整数倍（本例では３倍）の９回の点灯および消灯を繰り返すこととし、フレーム期間ごとに９つのＰＷＭパルスＰ１〜Ｐ９で構成されている。ＰＷＭＲ信号の各ＰＷＭパルスＰ１〜Ｐ９は、基準周波数ｆ０（＝１２０×９＝１０８０Ｈｚ）を中心として変化させた周波数ｆ１〜ｆ９で、かつ、それらの平均値が基準周波数ｆ０となり、それぞれの周期Ｔ１（＝１／ｆ１）〜Ｔ９（＝１／ｆ９）のトータル期間がフレーム期間と一致するように設定されている。これに対して、ＰＷＭＧ信号は、第４〜第９のＰＷＭパルスＰ４〜Ｐ９が周期Ｔ１〜Ｔ６（周波数ｆ１〜ｆ６）で第１〜第３のＰＷＭパルスＰ１〜Ｐ３が周期Ｔ７〜Ｔ９（周波数ｆ７〜ｆ９）となっており、ＰＷＭＲ信号に対して変動の順番が３パルス分だけずれている。また、ＰＷＭＢ信号は、第７〜第９のＰＷＭパルスＰ７〜Ｐ９が周期Ｔ１〜Ｔ３（周波数ｆ１〜ｆ３）で第１〜第６のＰＷＭパルスＰ１〜Ｐ６が周期Ｔ４〜Ｔ９（周波数ｆ４〜ｆ９）となっており、ＰＷＭＲ信号に対して変動の順番が６パルス分だけずれており、ＰＷＭＧ信号に対して変動の順番が３パルス分だけずれている。また、ＰＷＭＲ信号とＰＷＭＧ信号とＰＷＭＢ信号とは、周期の変動状態が互いに等間隔のパルス数（本例では３パルス）だけずれるように設定されている。この設定は、ＰＷＭＲ信号とＰＷＭＧ信号とＰＷＭＢ信号とで、互いのＰＷＭパルスの周期の変動の組み合わせが異なっているとも言える。具体的には、ＰＷＭＹ信号は、第１〜第３のＰＷＭパルスＰ１〜Ｐ３が周期Ｔ１〜Ｔ３で、第４〜第６のＰＷＭパルスＰ４〜Ｐ６が周期Ｔ４〜Ｔ６で、第７〜第９のＰＷＭパルスＰ７〜Ｐ９が周期Ｔ７〜Ｔ９となっている。これに対して、ＰＷＭＧ信号は、第１〜第３のＰＷＭパルスＰ１〜Ｐ３が周期Ｔ７〜Ｔ９で、第４〜第６のＰＷＭパルスＰ４〜Ｐ６が周期Ｔ１〜Ｔ３で、第７〜第９のＰＷＭパルスＰ７〜Ｐ９が周期Ｔ４〜Ｔ６となっている。また、ＰＷＭＢ信号は、第１〜第３のＰＷＭパルスＰ１〜Ｐ３が周期Ｔ４〜Ｔ６で、第４〜第６のＰＷＭパルスＰ４〜Ｐ６が周期Ｔ７〜Ｔ９で、第７〜第９のＰＷＭパルスＰ７〜Ｐ９が周期Ｔ１〜Ｔ３となっている。この場合、例えば、第１〜第３のＰＷＭパルスＰ１〜Ｐ３について着目すると、ＰＷＭＲ信号は周期Ｔ１〜Ｔ３のパルスで、ＰＷＭＧ信号は周期Ｔ７〜Ｔ９のパルスで、ＰＷＭＢ信号は周期Ｔ４〜Ｔ６のパルスの組み合わせとなっており、３つのＰＷＭ信号のパルスを組み合わせて９種類の周期Ｔ１〜Ｔ９のパルスとなっている。また、第４〜第６のＰＷＭパルスＰ４〜Ｐ６及び第７〜第９のＰＷＭパルスＰ７〜Ｐ９についても同様である。
【００８１】
図９のＰＷＭＲ信号とＰＷＭＧ信号とＰＷＭＢ信号の場合も、図８の場合と同様に、ＰＷＭパルスの周期の変動の繰り返し周期がフレーム周期に同期しているので、フレーム周波数と、ＰＷＭパルスの周期の変動の繰り返し周波数との間の干渉によるスクロールノイズを目立ち難くすることが可能である。また、フレーム期間内におけるＰＷＭパルスによる光源のスイッチングの周波数を分散することができるので、光源やその他の付随回路をなど（光源等）の振動を抑制し、振動を起因として発生する騒音や画質劣化等を抑制することが可能となる。さらにまた、同一時間において設定されているＰＷＭパルスの周期（周波数）が光源ごとに異なるようになっているので、図３のように各光源が同じ変動状態の場合において発生するスイッチングノイズのエネルギーよりもさらに分散させることができる。これにより、光源等の振動をさらに抑制し、振動を起因として発生する騒音や画質劣化等の抑制効果をより高めることが可能となる。スイッチングノイズのエネルギーを図３の場合よりもさらに分散させることができる。特に、本例の場合は、図８の場合よりもさらに分散効果が高く、光源等の振動をさらに抑制し、振動を起因として発生する騒音や画質劣化等の抑制効果をより高めることが可能となる。
【００８２】
Ｃ．変形例：
（１）変形例１
なお、上記実施形態の光学構成は、図１や図５の光学構成に限定されるものではない。例えば、第１実施形態の光学構成（図１）において、第２実施形態の光学構成のように赤色光用照明装置と緑色光用照明装置と青色光用照明装置の３つの照明装置を用いた構成としてもよく、第２実施形態の光学構成（図５）において、第１実施形態の光学構成のように黄色光用照明装置と青色光用照明装置の２つの照明装置を用い、黄色光を赤色光と緑色光に分離する光学構成としてもよい。また、例えば、黄色光用照明装置５２の蛍光体基板６１は反射型のものでもよいし、拡散板の有無や、偏光分離素子の有無など細かな各種光学構成は単なる設計事項であって、これらには限定されない。
【００８３】
また、上記実施形態では、固体光源（半導体光源）としてレーザーダイオードを用いた構成としているが、ＬＥＤを用いた構成であってもよい。また、１つのレーザーダイオードあるいは１つのＬＥＤを用いて、白色光を発する光源とし、白色光をダイクロイックミラー等によって赤緑青の３色に分離して利用する構成であってもよい。なお、レーザーダイオードによる白色光を発する光源は、例えば、青色レーザーダイオードの発する青色光により蛍光体基板を励起して得られる黄色（Ｙ）光と、蛍光体基板を励起しない青色（Ｂ）光と、を用いて実現することができる。また、複数の光源は複数色の光を発する光源を例として説明したが、複数の光源を全て白色光や特定の色光の光源としてもよい。
【００８４】
また、光変調部（画像光射出部）は、透過型あるいは反射型の液晶パネルだけでなく、ＤＭＤ（Ｄｉｇｉｔａｌ  Ｍｉｒｒｏｒ  Ｄｅｖｉｃｅ、ディジタルミラーデバイス）であっても良い。
【００８５】
（２）変形例２
なお、上記実施形態のＰＷＭ信号では、複数のＰＷＭパルスの周期の変動の繰り返し周期がフレーム周期と一致する場合を例に説明したが、複数のＰＷＭパルスの周期の変動の繰り返し周期の整数倍とフレーム周期とが一致するようにしても良い。すなわち、複数のＰＷＭパルスの周期の変動の繰り返し周期がフレーム周期に同期していれば良い。ただし、フレーム期間内に含まれるＰＷＭパルスの数は、フレーム周波数と、ＰＷＭパルスの周波数に起因して発生する照明光のフリッカーノイズの影響や、ＰＷＭパルスの周期の変動の繰り返し周波数との間の干渉によるスクロールノイズの影響、光源（あるいはその他の付随回路を含む光源装置）の振動への影響等を考慮して設定されることが好ましい。なお、複数のＰＷＭパルスの周期の変動の繰り返し周期の整数倍とフレーム周期との一致は、それぞれの逆数で表される周波数で±２Ｈｚに相当する誤差までは許容範囲である。
【００８６】
また、複数のＰＷＭパルスの周期（周波数）の変動状態も上記実施形態に限定されるものではなく種々のパターンとすることが可能であり、基準周期（基準周波数）を中心として変化させたもので、かつ、それらの平均値が基準周波数と一致し、それぞれのＰＷＭパルスの周期の合計がフレーム周期に同期していれば良い。
【００８７】
（３）変形例３
上記第１実施形態の図４では、フレーム周期の先頭の一定期間でＰＷＭパルスの出力を停止しているが、例えば、タイミング信号ＤＹの２周期目の期間で映像信号を変化させる場合には、フレーム周期の最後の一定期間でＰＷＭパルスの出力を停止するようにしてもよい。また、フレーム周期の先頭の一定期間でＰＷＭパルスを出力して光源を点灯し、その後の期間でＰＷＭパルスの出力を停止して光源を消灯するようにしてもよい。すなわち、フレーム周期のうちの一定期間におけるＰＷＭパルスの出力を停止するようにしてもよい。なお、ＰＷＭパルスの出力の停止に関する変形は、第２実施形態においても同様に適用可能である。
【００８８】
（４）変形例４
上記実施形態において、レーザーダイオード駆動部は、駆動処理部から出力される駆動電流値およびＰＷＭ信号生成部で生成されるＰＷＭ信号に基づいてレーザーダイオードを駆動しているが、駆動処理部から出力される駆動電圧値およびＰＷＭ信号に基づいてレーザーダイオードを駆動するようにしても良い。
【００８９】
（５）変形例５
上記実施形態は、プロジェクターを例に説明しているが、投写光学系を備えない一般的な画像表示装置においても適用可能である。
【００９０】
（６）変形例６
また、制御部６３や制御部６３ｂの各種制御は、各処理を実行するためのプログラムをコンピューター読み取り可能な記録媒体に記録して、当該記録媒体に記録されたプログラムをコンピューターシステムに読み込ませ、実行することにより実現されるようにしてもよい。
【００９１】
なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤＲＯＭ等の可搬媒体、コンピューターシステムに内蔵されるハードディスク等の記憶装置のことをいう。
【００９２】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００９３】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００９４】
３Ｒ，３Ｇ，３Ｂ  導光光学系  ４Ｒ，４Ｇ，４Ｂ  反射型液晶パネル（光変調部、画像光射出部）    ４ｂＲ，４ｂＧ，４ｂＢ  透過型液晶パネル（光変調部、画像光射出部）    ５  クロスダイクロイックプリズム  ６  投写光学系  ９  第１レンズアレイ  １０  第２レンズアレイ  １１  偏光変換素子  １２  重畳レンズ  ２５  ダイクロイックミラー  ２６，２７，２８  偏光ビームスプリッター（偏光分離素子）  ３２Ｒ，３２Ｇ，３２Ｂ，３２ｂＲ，３２ｂＧ，３２ｂＢ  集光レンズ  ３４Ｒ，３４Ｇ，３４Ｂ  偏光板  ３６Ｒ  赤色光用光センサー  ３６Ｇ  緑色光用光センサー  ３６Ｂ  青色光用光センサー  ３７  第１の絞り（入射角制限部材）  ３８  第２の絞り（入射角制限部材）  ５０，５０ｂ  プロジェクター  ５１  青色光用照明装置  ５１Ｒ  赤色光用照明装置  ５１Ｇ  緑色光用照明装置  ５１Ｂ  青色光用照明装置  ５２  黄色光用照明装置５３  青色レーザーダイオードアレイ  ５３Ｒ  赤色レーザーダイオードアレイ  ５３Ｇ  緑色レーザーダイオードアレイ  ５３Ｂ  青色レーザーダイオードアレイ  ５４  平行化レンズ  ５５  集光レンズ  ５６  拡散板  ５７  ピックアップレンズ  ５８  平行化レンズ  ５９  青色レーザーダイオード  ５９Ｒ  赤色レーザーダイオード  ５９Ｇ  緑色レーザーダイオード  ５９Ｂ  青色レーザーダイオード  ６０  励起用レーザーダイオードアレイ  ６１  蛍光体基板  ６２  励起用レーザーダイオード  ６３，６３ｂ  制御部  ６４  画像処理部  ６５，６５ｂ  駆動処理部  ６６Ｒ，６６Ｇ，６６Ｂ  液晶駆動部  ６７，６７ｂ  ＰＷＭ信号生成部  ６８  励起用レーザーダイオード駆動部  ６９  青色レーザーダイオード駆動部  ６９Ｒ  赤色レーザーダイオード駆動部  ６９Ｇ  緑色レーザーダイオード駆動部  ６９Ｂ  青色レーザーダイオード駆動部
【図１】
2015169879.tif 000003
【図２】
2015169879.tif 000004
【図３】
2015169879.tif 000005
【図４】
2015169879.tif 000006
【図５】
2015169879.tif 000007
【図６】
2015169879.tif 000008
【図７】
2015169879.tif 000009
【図８】
2015169879.tif 000010
【図９】
2015169879.tif 000011